(57)【要約】  ＤＶＤは、データエリア（４２）内に読み取り不能データまたは妨害データを含む領域を組み込むことによりコピープロテクトすることができる。例えば、このような領域は、ビデオオブジェクト（ＶＯＢ）ファイル（５１）内のＶＯＢ（５０）のセルとして構成される。妨害領域に導くポインタがないようにすることにより、通常の再生中には妨害データの領域へのアクセスを防止する。このようなコピープロテクション方法を破るため、ディスクの通常再生のために設けられたナビゲーションを利用することによりコピープロテクトされた光ディスクのコンテントにアクセスする。よって、ディスクのコピー中は妨害領域を避けてナビゲーションされる。アクセスされたコンテントを対応するデータエリアに格納し、妨害領域を識別した場合、元のデータエリア中の読み取り不能データまたは妨害データの領域に対応するコピーデータエリアの領域内に任意データを組み込む。
2007526591.tif 000002
【特許請求の範囲】
【請求項１】
１つ以上のコンテントファイルに配置されたコンテントとコンテントへのアクセスを提供する制御データとをデータエリア中に担う、コピープロテクトされた光ディスクをコピーする方法であって、
読み取り不能データまたは妨害データを含む少なくとも１つの領域をデータエリア中に設け、
読み取り不能データまたは妨害データの領域または各領域へのアクセスはディスク上のコンテントの通常再生の際は防止され、
前記方法は、
ディスクの通常再生のためのナビゲーションを利用することによりコピープロテクトされた光ディスクのコンテントにアクセスする段階と、
対応するデータエリアにアクセスしたコンテントを格納する段階と、
読み取り不能データまたは妨害データを含む領域に対応する、対応するデータエリアのいずれかの領域に任意のデータを含める段階と、を有することを特徴とする方法。
【請求項２】
請求項１に記載のコピープロテクトされた光ディスクをコピーする方法であって、
通常再生用にナビゲーションはディスク上のコンテントにアクセスする前記制御データにより画成されるナビゲーションパスを有し、
読み取り不能データまたは妨害データの少なくとも１つの領域へのアクセスを提供するナビゲーションパスはなく、
前記方法は、ナビゲーションパスを利用してコンテントにナビゲーションすることにより、コピープロテクトされた光ディスク上のコンテントにアクセスする段階を有することを特徴とする方法。
【請求項３】
請求項２に記載のコピープロテクトされた光ディスクをコピーする方法であって、
ナビゲーションパスがマップされ、前記ナビゲーションパスによりアクセスされないデータエリアの領域を特定し、
前記コピー方法は、さらに、
データエリアにリニアにアクセスしてコンテントをそこに格納する段階と、
ナビゲーションパスによりアクセスされていないと識別されたいずれの領域へのアクセスも避ける段階と、
データエリアの対応する領域にコンテントの替わりに任意のデータを格納する段階と、を有することを特徴とする方法。
【請求項４】
請求項２に記載のコピープロテクトされた光ディスクをコピーする方法であって、
前記コピー方法は、さらに、
ディスクを再生して、ナビゲーションパスにより決定されたようにディスク上のコンテントにアクセスする段階と、
データエリアから読み出したコンテントを対応するデータエリアに格納する段階と、を有することを特徴とする方法。
【請求項５】
請求項１に記載のコピープロテクトされた光ディスクをコピーする方法であって、
通常再生用にナビゲーションはディスク上のコンテントにアクセスする前記制御データにより画成されるナビゲーションパスを有し、
読み出し不能データまたは妨害データの少なくとも１つの領域に導くが、ディスク上のコンテントの通常の再生の際は読み出し不能データまたは妨害データへのアクセスを提供しないナビゲーションパスがあり、
前記方法は、ナビゲーションパスを利用してコンテントにナビゲーションすることにより、コピープロテクトされたディスク上のコンテントにアクセスする段階を有することを特徴とする方法。
【請求項６】
請求項５に記載のコピープロテクトされた光ディスクをコピーする方法であって、
制御データにより画成されたナビゲーションパスがマップされ、ナビゲーションパスによりアクセスされないデータエリアの領域を特定し、
前記コピー方法は、さらに、
データエリアにリニアにアクセスしてコンテントをそこに格納する段階と、
ナビゲーションパスによりアクセスされていないと識別されたいずれの領域へのアクセスも避ける段階と、
データエリアの対応する領域にコンテントの替わりに任意のデータを格納する段階と、を有することを特徴とする方法。
【請求項７】
請求項５に記載のコピープロテクトされた光ディスクをコピーする方法であって、
前記コピー方法は、さらに、
ディスクを再生して、ナビゲーションパスにより決定されたようにディスク上のコンテントにアクセスする段階と、
データエリアから読み出したコンテントを対応するデータエリアに格納してディスク上のコンテントと制御データのイメージ（ｉｍａｇｅ）を構成する段階と、を有することを特徴とする方法。
【請求項８】
請求項１ないし７に記載のコピープロテクトされた光ディスクをコピーする方法であって、
光ディスクプレーヤによりディスクを再生してディスクのコンテントを取得し、
ディスクプレーヤが出力したコンテントを格納することを特徴とする方法。
【請求項９】
請求項８に記載のコピープロテクトされた光ディスクをコピーする方法であって、
コンテントデータのコピーが完了するように、ディスクのコンテントの全てを再生するように光ディスクプレーヤにコマンドを送る段階をさらに有することを特徴とする方法。
【請求項１０】
請求項１ないし９に記載のコピープロテクトされた光ディスクをコピーする方法であって、
格納されたコンテントからディスクを作る段階をさらに有することを特徴とする方法。
【請求項１１】
請求項１ないし１０に記載のコピープロテクトされた光ディスクをコピーする方法であって、
追加コンテントファイルとして、または２つの隣接するコンテントファイル間のギャップとして、コンテントファイル内に読み取り不能データまたは妨害データの少なくとも１つの領域を形成し、
前記方法は、
コンテントファイルにアクセスしてそのコンテントを読み出す段階と、
対応するコンテントファイルにコンテントを格納する段階と、を有することを特徴とする方法。
【請求項１２】
請求項１１に記載のコピープロテクトされた光ディスクをコピーする方法であって、
コンテントファイルはビデオオブジェクトファイルであり、セルに分割されたビデオオブジェクトにより構成され、
制御データにより画成されたナビゲーションパス中のそれぞれのポインタによりセルにアクセス可能であることを特徴とする方法。
【請求項１３】
請求項１２に記載のコピープロテクトされた光ディスクをコピーする方法であって、
読み取り不能データまたは妨害データの少なくとも１つの領域がビデオオブジェクト内の追加セルとして形成され、
追加セルにアクセスするポインタはないことを特徴とする方法。
【請求項１４】
請求項１２に記載のコピープロテクトされた光ディスクをコピーする方法であって、
読み取り不能データまたは妨害データの少なくとも１つの領域がビデオオブジェクト内の追加セルとして形成され、
追加セルにアクセスするポインタはあるが、プリコマンドまたはセルコマンドを使用すると必ず、素材の通常再生の際に追加セルが再生されないことを特徴とする方法。
【請求項１５】
請求項１２に記載のコピープロテクトされた光ディスクをコピーする方法であって、
読み取り不能データまたは妨害データの少なくとも１つの領域がビデオオブジェクト内に挿入され、
前記領域にアクセスするポインタはないことを特徴とする方法。
【請求項１６】
請求項１ないし１５に記載のコピープロテクトされた光ディスクをコピーする方法であって、
データエリアの前記領域に含まれる任意のデータは０のセクターを含むことを特徴とする方法。
【請求項１７】
１つ以上のコンテントファイルに配置されたコンテントとコンテントへのアクセスを提供する制御データとをデータエリア中に担う、コピープロテクトされた光ディスクをコピーする方法であって、
読み取り不能データまたは妨害データを含む少なくとも１つの領域をデータエリア中に設け、
読み取り不能データまたは妨害データの領域または各領域へのアクセスはディスク上のコンテントの通常再生の際は防止され、
前記方法は、
コピープロテクトされた光ディスクのデータエリアのコンテントをリニアに読み出す段階と、
データエリアから読み出したコンテントを対応するデータエリアに格納する段階と、
読み取り不能データまたは妨害データの領域に遭遇した時、検索技術を用いて読み取り不能領域の大きさを決定し、この領域の読み取りを中止し、妨害領域の後にコピーを続ける段階と、を有することを特徴とする方法。
【請求項１８】
請求項１７に記載のコピープロテクトされた光ディスクをコピーする方法であって、
格納されたコンテントからディスクを作る段階をさらに有することを特徴とする方法。
【請求項１９】
請求項１７または１８に記載のコピープロテクトされた光ディスクをコピーする方法であって、
追加コンテントファイルとして、または２つの隣接するコンテントファイル間のギャップとして、読み取り不能データまたは妨害データの少なくとも１つの領域を個々のコンテントファイル内に形成することを特徴とする方法。
【請求項２０】
請求項１９に記載のコピープロテクトされた光ディスクをコピーする方法であって、
コンテントファイルはビデオオブジェクトファイルであり、セルに分割されたビデオオブジェクトにより構成され、
プログラムパスのそれぞれのポインタによりセルにアクセスできることを特徴とする方法。
【請求項２１】
請求項２０に記載のコピープロテクトされた光ディスクをコピーする方法であって、
読み取り不能データまたは妨害データの少なくとも１つの領域へのアクセスを提供するディスク上のポインタはないことを特徴とする方法。
【請求項２２】
請求項２０に記載のコピープロテクトされた光ディスクをコピーする方法であって、
読み取り不能データまたは妨害データの少なくとも１つの領域にアクセスするポインタはディスク上にあるが、ナビゲーションパスは、ディスクのコンテントの通常再生中は読み取り不能データまたは妨害データにアクセスしないようになっていることを特徴とする方法。
【請求項２３】
請求項１７ないし２２いずれか一項に記載のコピープロテクトされた光ディスクをコピーする方法であって、
データエリアの前記領域に含まれる任意のデータは０のセクターを含むことを特徴とする方法。
【請求項２４】
１つ以上のコンテントファイルに配置されたコンテントとコンテントへのアクセスを提供する制御データとをデータエリア中に担う、コピープロテクトされた光ディスクをコピーする装置であって、
読み取り不能データまたは妨害データを含む少なくとも１つの領域をデータエリア中に設け、
読み取り不能データまたは妨害データの領域または各領域へのアクセスはディスクの通常再生の際は防止され、
前記装置は、
ディスクの通常再生のためのナビゲーションを利用することによりディスク上のコンテントにアクセスする手段と、
対応するデータエリアにアクセスしたコンテントを格納する手段と、
読み取り不能データまたは妨害データを含む領域に対応する、対応するデータエリアのいずれかの領域に任意のデータを組み込む手段と、を有することを特徴とする装置。
【請求項２５】
請求項２４に記載のコピープロテクトされた光ディスクをコピーする装置であって、
通常再生のナビゲーションはディスクのコンテントにアクセスする制御データにより画成されるナビゲーションパスを有し、
しかし、読み取り不能データまたは妨害データの少なくとも１つの領域へのアクセスを提供するナビゲーションパスはなく、
ディスク上のコンテントにアクセスする手段は、ナビゲーションパスをマップして前記ナビゲーションパスがアクセスしないデータエリアの領域を識別する手段と、前記領域として識別されていないデータエリアの領域にリニアにアクセスする手段と、を有し、
前記格納手段はアクセスしたデータエリアのコンテントを対応するデータエリアに格納するように構成されていることを特徴とする装置。
【請求項２６】
請求項２４に記載のコピープロテクトされた光ディスクをコピーする装置であって、
通常再生のナビゲーションはディスクのコンテントにアクセスする制御データにより画成されるナビゲーションパスを有し、
読み出し不能データまたは妨害データの少なくとも１つの領域に導くが、ナビゲーションパスは、ディスク上のコンテントの通常の再生の際は読み出し不能データまたは妨害データへのアクセスを提供しないように改変され、
ディスク上のコンテントにアクセスする手段は、ナビゲーションパスをマップして前記ナビゲーションパスがアクセスしないデータエリアの領域を識別する手段と、前記領域として識別されていないデータエリアの領域にリニアにアクセスする手段と、を有し、
前記格納手段はアクセスしたデータエリアのコンテントを対応するデータエリアに格納するように構成されていることを特徴とする装置。
【請求項２７】
請求項２４に記載のコピープロテクトされた光ディスクをコピーする装置であって、
ディスク上のコンテントにアクセスする前記手段は光ディスクプレーヤから出力を受け取る手段を有し、
前記格納する手段は、出力からのコンテントを読み出し、読み出したコンテントを対応するデータエリアに格納してディスク上のコンテントと制御データのイメージを格納することを特徴とする装置。
【請求項２８】
請求項２７に記載のコピープロテクトされた光ディスクをコピーする装置であって、
ディスクの格納されたイメージが完了するように、ディスク上のコンテントの全てを再生するように光ディスクプレーヤにコマンドを送る手段をさらに有することを特徴とする装置。
【請求項２９】
１つ以上のコンテントファイルに配置されたコンテントとコンテントへのアクセスを提供する制御データとをデータエリア中に担う、コピープロテクトされた光ディスクをコピーする装置であって、
読み取り不能データまたは妨害データを含む少なくとも１つの領域をデータエリア中に設け、
読み取り不能データまたは妨害データの領域または各領域へのアクセスはディスクの通常再生の際は防止され、
ディスク上のコンテントをリニアに読み出す手段と、
データエリア中のコンテントを対応するデータエリアに格納する手段と、
データエリアの領域中で読み取り不能データまたは妨害データに遭遇したとき前記読み出し手段による読み出しを停止する手段と、
ディスク上の妨害領域の大きさを決定する手段と、
前記領域に対応する前記対応するデータエリアの領域に任意のデータを組み込む手段と、を有することを特徴とする装置。
【請求項３０】
請求項２４ないし２９いずれか一項に記載のコピープロテクトされた光ディスクをコピーする装置であって、光ディスクにアクセスされるコンテントと任意のデータを焼き付ける手段をさらに有することを特徴とする装置。
【請求項３１】
添付した図面を参照して説明したコピープロテクトされた光ディスクをコピーする方法。
【請求項３２】
添付した図面を参照して説明したコピープロテクトされた光ディスクをコピーする装置。
【発明の詳細な説明】
【発明の詳細な説明】
【０００１】
本発明は、コピープロテクションされた光ディスクのコピー方法と、コピープロテクションされた光ディスクのコピー装置に関する。
【０００２】
出願人の継続中の米国特許出願第１０／８３８，１８６号は、データ領域にコンテントと制御データを格納した光ディスクのコピープロテクション方法について記載している。よって、この提案では、コンテントは光ディスク上の１つ以上のコンテントファイルに配置され、制御データがコンテントへのアクセスを提供する。読み取り不能または妨害（ｓｕｂｖｅｒｓｉｖｅ）データを含む少なくとも１つの領域がデータ領域中に設けられ、その領域へのアクセスはディスク上のコンテントの通常の再生中は禁止される。
【０００３】
このようなコピープロテクション方法では、ディスク上に設けられた読み取り不能または妨害データはディスクの合法な使用には干渉しない。ディスク上には読み取り不能または妨害データにアクセスするナビゲーションがないからである。よって、これは特に効果的な読み取り不能または妨害データをディスクに組み込んで、最大限のコピープロテクションを提供することを意味する。
【０００４】
本発明はこのようなコピープロテクションを破る方法を提供することを目的とする。
【０００５】
本発明の第１の態様によると、１つ以上のコンテントファイルに配置されたコンテントとコンテントへのアクセスを提供する制御データとをデータエリア中に担う、コピープロテクトされた光ディスクをコピーする方法が提供される。読み取り不能データまたは妨害データを含む少なくとも１つの領域をデータエリア中に設け、読み取り不能データまたは妨害データの領域または各領域へのアクセスはディスク上のコンテントの通常再生の際は防止される。前記方法は、ディスクの通常再生のためのナビゲーションを利用することによりコピープロテクトされた光ディスクのコンテントにアクセスする段階と、対応するデータエリアにアクセスしたコンテントを格納する段階と、読み取り不能データまたは妨害データを含む領域に対応する、対応するデータエリアのいずれかの領域に任意のデータを含める段階と、を有する。
【０００６】
これに関して、従来のリニア方式でデータを取り出すことによりコピープロテクトされた光ディスクをコピーしようとすると、読み取り不能データまたは妨害データによりコピープロセスが禁止される。
【０００７】
本発明の実施形態では、コピープロセス中に読み取り不能データまたは妨害データをアクセスしないようにナビゲーションパスを利用する。
【０００８】
一実施形態において、通常再生用にナビゲーションはディスク上のコンテントにアクセスする前記制御データにより画成されるナビゲーションパスを有し、読み取り不能データまたは妨害データの少なくとも１つの領域へのアクセスを提供するナビゲーションパスはなく、前記方法は、ナビゲーションパスを利用してコンテントにナビゲーションすることにより、コピープロテクトされた光ディスク上のコンテントにアクセスする段階をさらに有する。
【０００９】
例えば、ナビゲーションパスがマップされ、前記ナビゲーションパスによりアクセスされないデータエリアの領域を識別する。本コピー方法はさらに、データエリアにリニアにアクセスしてコンテントをそこに格納する段階と、ナビゲーションパスによりアクセスされていないと識別されたいずれの領域へのアクセスも避ける段階と、データエリアの対応する領域にコンテントの替わりに任意のデータを格納する段階と、を有する。
【００１０】
あるいは、本コピー方法は、さらに、ディスクを再生して、ナビゲーションパスにより決定されたようにディスク上のコンテントにアクセスする段階と、データエリアから読み出したコンテントを対応するデータエリアに格納してディスク上のコンテントと制御データのイメージ（ｉｍａｇｅ）を構成する段階と、を有する。
【００１１】
別の実施形態では、通常再生用にナビゲーションはディスク上のコンテントにアクセスする前記制御データにより画成されるナビゲーションパスを有し、読み出し不能データまたは妨害データの少なくとも１つの領域に導くが、ディスク上のコンテントの通常の再生の際は読み出し不能データまたは妨害データへのアクセスを提供しないナビゲーションパスがあり、前記方法は、ナビゲーションパスを利用してコンテントにナビゲーションすることにより、コピープロテクトされたディスク上のコンテントにアクセスする段階を有する。
【００１２】
例えば、制御データにより画成されたナビゲーションパスがマップされ、ナビゲーションパスによりアクセスされないデータエリアの領域を特定し、前記コピー方法は、さらに、データエリアにリニアにアクセスしてコンテントをそこに格納する段階と、ナビゲーションパスによりアクセスされていないと識別されたいずれの領域へのアクセスも避ける段階と、データエリアの対応する領域にコンテントの替わりに任意のデータを格納する段階と、を有する。
【００１３】
あるいは、本コピー方法は、さらに、ディスクを再生して、ナビゲーションパスにより決定されたようにディスク上のコンテントにアクセスする段階と、データエリアから読み出したコンテントを対応するデータエリアに格納してディスク上のコンテントと制御データのイメージ（ｉｍａｇｅ）を構成する段階と、を有する。
【００１４】
上記の実施形態では、格納されたコンテントをコピーディスク作成のために使用する。
【００１５】
追加的及び／または代替的に、格納されたコンテントは格納されたディスクイメージとして提供され、例えば、ユーザのコンピュータに格納されて必要に応じて再生される。
【００１６】
追加コンテントファイルとして、または２つの隣接するコンテントファイル間のギャップとして、読み取り不能データまたは妨害データの少なくとも１つの領域を個々のコンテントファイル内に形成することができ、本方法は、コンテントファイルにアクセスしてそのコンテントを読み出す段階と、対応するコンテントファイルにコンテントを格納する段階と、を有する。これに関して、コンテントファイルは好ましくはビデオオブジェクトファイルであり、セルに分割されたビデオオブジェクトにより構成される。制御データにより画成されたナビゲーションパス中のそれぞれのポインタによりセルにアクセス可能である。
【００１７】
一実施形態において、データエリアの前記領域に含まれる任意のデータは０のセクターを含む。
【００１８】
本発明は次の方法にも及ぶ。すなわち、１つ以上のコンテントファイルに配置されたコンテントとコンテントへのアクセスを提供する制御データとをデータエリア中に担う、コピープロテクトされた光ディスクをコピーする方法。読み取り不能データまたは妨害データを含む少なくとも１つの領域をデータエリア中に設け、読み取り不能データまたは妨害データの領域または各領域へのアクセスはディスク上のコンテントの通常再生の際は防止される。前記方法は、コピープロテクトされた光ディスクのデータエリアのコンテントをリニアに読み出す段階と、データエリアから読み出したコンテントを対応するデータエリアに格納する段階と、しかし、読み取り不能データまたは妨害データの領域に遭遇した時、ディスクの領域が妨害データを含むことを認識する段階と、妨害領域の全体サイズを決定するために検索方法を使用する段階と、その領域の読み取りを停止する段階と、任意のデータを前記領域に対応するデータエリアの領域に格納する段階と、を有する。
【００１９】
妨害領域はコピープロセスの一部として「飛び越し」され、ＤＶＤドライブが妨害データの各セクターの読み出しを試みるのを待つ時間がかかるプロセスを回避する。妨害領域の後、コピーが再開される。
【００２０】
必要に応じて、本方法は格納した情報からディスクを焼く段階を有してもよい。
【００２１】
一般的に、追加コンテントファイルとして、または２つの隣接するコンテントファイル間のギャップとして、コンテントファイル内に読み取り不能データまたは妨害データの少なくとも１つの領域を形成する。コンテントファイルはビデオオブジェクトファイルでもよく、ビデオオブジェクト（ＶＯＢ）により構成されている。ビデオオブジェクトはセルに分割され、セルはプログラムパス中のそれぞれのポインタによりアクセスできる。一実施形態では、読み取り不能データまたは妨害データの少なくとも１つの領域へのアクセスを提供するディスク上のポインタはない。あるいは、読み取り不能データまたは妨害データの少なくとも１つの領域にアクセスするポインタはディスク上にあるが、ナビゲーションパスは、ディスクのコンテントの通常再生中は読み取り不能データまたは妨害データにアクセスしないようになっている。
【００２２】
好ましくは、データエリアの前記領域に含まれる任意のデータは０のセクターを含む。
【００２３】
本発明は次の装置にも及ぶ。すなわち、１つ以上のコンテントファイルに配置されたコンテントとコンテントへのアクセスを提供する制御データとをデータエリア中に担う、コピープロテクトされた光ディスクをコピーする装置であって、読み取り不能データまたは妨害データを含む少なくとも１つの領域をデータエリア中に設け、読み取り不能データまたは妨害データの領域または各領域へのアクセスはディスクの通常再生の際は防止され、前記装置は、ディスクの通常再生のためのナビゲーションを利用することによりディスク上のコンテントにアクセスする手段と、対応するデータエリアにアクセスしたコンテントを格納する手段と、を有する。
【００２４】
一実施形態において、通常再生のナビゲーションはディスクのコンテントにアクセスする制御データにより画成されるナビゲーションパスを有し、しかし、読み取り不能データまたは妨害データの少なくとも１つの領域へのアクセスを提供するナビゲーションパスはなく、前記ディスク上のコンテントにアクセスする手段は、ナビゲーションパスを末法する手段と、前記領域として識別されなかったデータエリアの領域にリニアにアクセスする手段と、を有し、前記格納手段は、データエリアからのアクセスしたコンテントを対応するデータエリアに格納し、任意のデータを対応するデータエリアの前記領域に格納する。
【００２５】
通常再生のナビゲーションはディスクのコンテントにアクセスする制御データにより画成されるナビゲーションパスを有し、読み取り不能データまたは妨害データの少なくとも１つの領域に導くナビゲーションパスがある場合、そのナビゲーションパスは、ディスク上のコンテントの通常再生中に読み取り不能データまたは妨害データへのアクセスを提供しないようになっており、前記ディスク上のコンテントにアクセスする手段は、ナビゲーションパスをマップして、前記ナビゲーションパスによりアクセスされないデータエリアの領域を識別する手段と、前記領域として識別されなかったデータエリアの領域にリニアにアクセスする手段と、を有し、前記格納手段は、データエリアからのアクセスしたコンテントを対応するデータエリアに格納し、任意のデータを対応するデータエリアの前記領域に格納する。
【００２６】
別の実施形態では、ディスク上のコンテントにアクセスする前記手段は光ディスクプレーヤから出力を受け取る手段を有し、前記格納する手段は、出力からのコンテントを読み出し、読み出したコンテントを対応するデータエリアに格納してディスク上のコンテントと場合によっては制御データのコピーを格納する。
【００２７】
本発明は次の装置にも及ぶ。すなわち、１つ以上のコンテントファイルに配置されたコンテントとコンテントへのアクセスを提供する制御データとをデータエリア中に担う、コピープロテクトされた光ディスクをコピーする装置であって、読み取り不能データまたは妨害データを含む少なくとも１つの領域をデータエリア中に設け、読み取り不能データまたは妨害データの領域または各領域へのアクセスはディスクの通常再生の際は防止され、ディスク上のコンテントをリニアに読み出す手段と、データエリア中のコンテントを対応するデータエリアに格納する手段と、データエリアの領域中で読み取り不能データまたは妨害データに遭遇したとき前記読み出し手段による読み出しを停止する手段と、前記領域に対応する前記対応するデータエリアの領域に任意のデータを組み込む手段と、妨害領域の後、コピーを再開する手段と、を有する。
【００２８】
上記の装置は追加的に、アクセスしたコンテントと組み込まれた任意データを光ディスクに焼き付ける手段を有する。
【００２９】
添付した図面を参照して、例示により、本発明の実施例をここに説明する。
【００３０】
本発明は、光ディスク一般に適用可能であるが、ここではＤＶＤフォーマットを参照して説明する。本発明は全てのＤＶＤフォーマットに適用可能である。
【００３１】
本技術分野の当業者には知られているように、適当なマスタリング手段によりＤＶＤにビットストリームとしてデータを書き込み、ディスク上にピットとランドを形成する。この点で、ＤＶＤライターでは、マスタリング手段は一般的にはレーザビームレコーダである。レーザビームレコーダは、マスタリングハウスでも使用されるが、別のマスタリング方法も利用可能であり、使用されることがある。
【００３２】
周知の通り、ピットはディスク表面のらせんトラックに沿って延在し、ランドにより分けられている。このようにＤＶＤ上のデータはらせんトラックに沿って配置される。図１に示したように、らせんトラックに沿ったこのデータは、リードイン４０、データ領域４２、及びリードアウト４４を有している。
【００３３】
ＤＶＤ上のデータの構造は標準規格の問題であり、当業者には周知である。従って、データ構造の本発明に関係する部分のみをここでは説明し例示する。さらに図１に示したように、データ領域４２は、そのデータの構造とコンテンツを識別するボリューム識別子４６を含む。このボリューム識別子４６の次には、ＤＶＤビデオゾーン４３と、場合によってその他のＤＶＤゾーン４５がくる。ＤＶＤビデオゾーン４３は、ビデオマネージャ（ＶＭＧ）と幾つかのビデオタイトルセット（ＶＴＳ）等の構造体（ｓｔｒｕｃｔｕｒｅｓ）を含んでいる。情報ファイル（ＩＦＯ）４８は、ビデオマネージャ（ＶＭＧ）と各ビデオタイトルセット（ＶＴＳ）内に設けられ、ビデオオブジェクト（ＶＯＢｓ）５０へのナビゲーションを実現するシンタックスを提供する。周知の通り、各ビデオオブジェクト５０は、ビデオ、オーディオ、その他のコンテントストリーム等のＭＰＥＧストリームを含む。他のコンテントストリームは、例えばテキストやグラフィックスを含む。ビデオオブジェクト５０は、そのコンテントの表示（ｐｒｅｓｅｎｔａｔｉｏｎ）を制御する制御データと、ビデオオブジェクト内のデータを検索できるようにする制御データも含む。ビデオオブジェクト５０は、ビデオタイトルセットＶＴＳ＃１のタイトル（ＶＴＳＴＴ＿ＶＯＢＳ）の１組のビデオオブジェクトを構成する。ＶＴＳＴＴ＿ＶＯＢＳは、ビデオオブジェクトファイル５１に分割され、そのビデオオブジェクトファイル５１の大きさは１ＧＢを越えない。
【００３４】
図２は、ビデオタイトルセット（ＶＴＳ）の構造を示し、ＤＶＤ中で、例えば、単一のビデオオブジェクト５０に格納された映画にどのようにアクセスし、ナビゲートし、再生するかを例示している。
【００３５】
図２において、ＤＶＤビデオ構造中のファイル間の接続とポインタのすべては示していない。むしろ、図２は、単一のビデオオブジェクト５０をどうアドレッシングするかを示している。
【００３６】
図２に示した構造には、タイトル５４の集まりを含むビデオタイトルセット（ＶＴＳ）５２がある。各タイトル５４は１つ以上のプログラムチェーン５６を含む。図２において、タイトル５４「タイトルｙｙ」は、選択されたビデオオブジェクト５０をアドレスし、プログラムチェーンｘによりアドレスする。各プログラムチェーン５６は、５８として幾つかの個別のプログラムを含み、一般的にはこのプログラムは順番に再生される。プログラム５８の各々は、６０として１つ以上のポインタを有し、各ポインタ６０は対応するビデオオブジェクトの一部をアドレスする。
【００３７】
図２に示したように、各ビデオオブジェクト５０は、幾つかの個別のセル７０に分割される。一般的には、プログラム５８の各々は、そのポインタ６０により、ビデオオブジェクト５０のセル７０の１つひとつをポイントする。しかし、図２にも示したように、単一のプログラム５８（プログラム１とする）がより多くのポインタ６０を有することも可能であり、例えば、２つのポインタを有することも可能である。この２つのポインタは、セル１／１と１／２とした２つのセル７０をアドレスしている。プログラム５８が関連するプログラムチェーン５６により順番に再生される時、ビデオオブジェクト５０内のセル７０が同様に順番にアクセスされるというのが、一般的に構成である。
【００３８】
図３は、図２と同様の構成を示すが、図３に示したＤＶＤは本願出願人の継続中の米国特許出願第１０／９３９，１８６号に説明して特許請求した方法によりコピープロテクトされている点で異なる。図２と図３を比較すると、ビデオオブジェクト５０の２つのセル７０の間に非構造化領域７２が挿入されていることが分かる。また、図３に示したように、７４で示された妨害データが非構造化領域７２内に挿入されている。非構造化領域内の妨害データ７４のいずれの側にもバッファ領域７６がある。
【００３９】
ビデオオブジェクト５０の非構造化領域７２中の妨害（ｓｕｂｅｒｓｉｖｅ）データ７４は、ドライブが光ディスク上の領域７２のコンテントを読み取るまたは再生するのを停止させるか妨害する（ｓｕｂｖｅｒｔ）するデータであればどんなものでもよい。これらの要件を満たす妨害データの例としては、不正なエラー訂正符号を有するデータや、意図的に改変された情報などがある。そのデータは、例えば、ＤＳＶ問題を発生させるように選択したデータパターンや、ＤＳＶが非常に大きい絶対値を有する、及び／またはＤＳＶが急激に変化するように選択されたデータパターンであってもよいし、これらを含んでもよい。ＤＳＶデータパターンやそれが発生させる問題についての説明は、国際出願第ＷＯ０２／１１１３６号に記載されている。追加的及び／または代替的に、タイミングのずれた（ｍｉｓｔｉｍｅｄ）波形遷移をするデータを使うことも可能である。
【００４０】
メインでは、データ（コンテントデータ及び／または制御データでもよい）の値は、光ディスクへのデータのエンコードの際に変更され、妨害データを作ることが期待される。しかし、追加的及び／または代替的に、ディスク上のビットまたはビットセクターを機械的または物理的に損なうことにより、光ディスク上に妨害データを設けることもできる。
【００４１】
改変されてディスクをコピープロテクトできる妨害データの例は、例えば、国際出願第ＷＯ００／７４０５３号、第ＷＯ０１／６１６９５号、第ＷＯ０１／６１６９６号に記載されている。
【００４２】
もちろん、オリジナルディスク上に設けられた時、妨害データは再生や適法な目的で光ディスクを使用しようとする装置に問題を生じさせることがある。従って、図３に示したように、例えば、光ディスクの通常の使用の際や装置による再生の際には、妨害データ７４には決してアクセスしないような方策がとられている。この点、図３に示したように、非構造化領域７２をポイントするポインタ６０はメインプログラムチェーン５６にはない。図３の考察から分かるように、例えば、プログラムチェーン５６を実行した場合、装置は非構造化領域７２へはナビゲーションしない。このように、妨害データはディスクの通常の再生を妨害するおそれなく、ディスク上に設けることができる。
【００４３】
上記の通り、非構造化領域７２内の妨害データ７４のいずれの側にもバッファ領域７６がある。これに関して、一部の装置はディスクを再生する時に先読みをする。よって、ビデオオブジェクトファイル５０の第１のセルにアクセスし、次に第２のセルにアクセスする装置は、次のセルを先読みし、図３の構成では、非構造化領域７２に遭遇するかも知れない。このような先読み方法により妨害データ７４に遭遇するリスクが無いように、バッファデータエリアを設ける。一般的に、バッファゾーン７６内のデータは妨害特性を有するものではなく、例えば、複数のゼロを含んでいる。
【００４４】
このように、上記の説明から分かるように、妨害データがディスクの通常再生には悪い影響を与えるおそれなく、ＤＶＤには７４のような妨害データを設けることができる。
【００４５】
図３に示したように、ディスク上のビデオとオーディオのコンテントを再生するのではなく、コピープロテクトされたディスクからデータを読み出そうとすると、ＤＶＤをコピーするように構成された多数の市販の装置は、ディスク上のデータの全てを取り出そうとする。一般的に、コピーはセクターごとまたはファイルごとに行われる。例えば、装置はディスク上の各セクターにアクセスして、そのセクター中のデータを順番に取り出す。よって、コピー動作中に、装置は非構造化領域７２にアクセスする。非構造化領域７２中の妨害データ７４がディスクの読み出し動作を失敗または極端に遅くすることが可能である。あるいは、妨害データはエラーフラグを立てる。これは、その装置が作ったコピーは一般的に再生不能であることを意味する。
【００４６】
非構造化領域７２へのナビゲーションは無いように構成されているだけではなく、領域の存在やその位置に関する情報も情報ファイル４８には明示的には含まれていない。
【００４７】
あるいは、非構造化領域に関する一部の情報が情報ファイル４８のビデオタイトルセット情報（ＶＴＳＩ）に含まれていてもよい。
【００４８】
図３に示したように、バッファゾーン７６も含む非構造化領域７２をビデオオブジェクト５０に挿入することにより、妨害データ７４を含めてもよい。
【００４９】
あるいは、図４に示したように、妨害データは決してアクセスされない構造化セルに含まれてもよい。すなわち、妨害データの領域は、既存または追加のセルであって再生されないセルに挿入されてもよい。バッファゾーンは妨害データの回りに設けられる。
【００５０】
妨害データを既存または追加のセルに挿入する場合、これによりＶＴＳＴＴ＿ＶＯＢＳの大きさが大きくなる。ＶＴＳＴＴ＿ＶＯＢＳが分割されてできるビデオオブジェクトファイル５１の結果的な大きさが最大許容サイズ（１ＧＢ）を越える場合、ビデオオブジェクトファイル５１の境界を動かし、及び／または新しいビデオオブジェクトファイル５１を生成する。
【００５１】
図３と４では、妨害データは、非構造化領域及び／またはビデオオブジェクト５０に挿入された追加セルに設けられている。ディスク上のコンテントの再生中に既存のセルへのナビゲーションが確実にない場合、妨害データを１つ以上の既存のセルに組み込んでもよい。
【００５２】
図３と４では、妨害データはビデオオブジェクト５０に組み込まれている。ディスク状のコンテントの再生中に通常のナビゲーションがある、コンテントファイルの他の領域に妨害データを含めることもできる。図５に示したように、ＤＶＤビデオゾーン４３は、ビデオマネージャ（ＶＭＧ）と、いろいろなファイルから構成されている幾つかのビデオタイトルセット（ＶＴＳ）を有する。例えば、設けられた情報ファイル（ＩＦＯ）４８によりこれらのファイルへのナビゲーションがある。
【００５３】
妨害データは、ディスクのコンテントの再生中にナビゲーションがない、データエリアの他の領域に含まれてもよい。シンタックス（ｓｙｎｔａｘｅｓ）によっては、ギャップ４９をファイルの間に設けて、妨害データをそのギャップ４９に組み込んでもよい。言うまでもなく、このギャップ４９へのナビゲーションは提供されない。
【００５４】
追加的及び／または代替的に、図５に示したように、ギャップ４９はＤＶＤビデオゾーン４３中のファイルの間に挿入され、妨害データが生成されたギャップに挿入される。図５はギャップ４９が挿入される場所を示す図である。
【００５５】
図６ａと６ｂは、２つ以上のバージョンの映画を、例えば、効率的に単一のＤＶＤで担うことができる既知の方法を示す図である。映画はビデオオブジェクト５０に格納され、映画の両方のバージョンに共通な素材はスペースを節約するためディスク上の１箇所にだけある。２つのバージョンが分かれる場合、コンテントをインターリーブして、ディスク再生中にディスクを再生している装置が必要とするジャンプの大きさを十分小さくして、コンテントをつなぎ目無しに再生できるようにする。
【００５６】
このように、図６ａと６ｂは、単一映画の２つのバージョンの再生の一部を示している。ここで、図６ａは第１のバージョン（例えば劇場リリース版）の再生を示し、図６ｂは拡張バージョン（例えばディレクタ版）の再生を示す。それゆえ、第１のビデオオブジェクト５０（ＶＯＢ１）のセル１／１、１／２、１／３は両方のバージョンに共通であるが、図６ａでは、劇場版は、第２のビデオオブジェクト（ＶＯＢ２）を構成するセル２／１を再生して、次に、第４のビデオオブジェクト（ＶＯＢ４）の第１のセル４／１に移る。対照的に、図６ｂに示したように、拡張バージョンは第２のビデオオブジェクト（ＶＯＢ２）、つまりセル２／１を省略し、第３のビデオオブジェクト（ＶＯＢ３）中のセル３／１と３／２を再生する。
【００５７】
図７は、図６ａと６ｂに示した方法のビデオタイトルセット（ＶＴＳ）の構造を示し、ディスク上の図６ａと６ｂのセル２／１、３／１、及び３／２の構成を示す図である。図７に示したように、第２と第３のビデオオブジェクトＶＯＢ２とＶＯＢ３は、それぞれ３つの部分にスライスされ、１５０で示したようにインターリーブされて３つのインターリーブされたユニット（ＩＬＶＵｓ）を形成している。その効果によりセル２／１がセル３／１とセル３／２でインターリーブされている。
【００５８】
図７に示したように、２つのプログラムチェーン５６を含むプログラムチェーンブロック１００が設けられる。第１のプログラムチェーンＰＧＣ１は、図６ａに示したように映画の劇場バージョンを再生し、一方、第２のプログラムチェーンＰＧＣ２は、図６ｂに示したようにディレクタカットバージョンを再生する。
【００５９】
図７の考察から分かるように、プログラムチェーンＰＧＣ１を実行すると、セル１／１、１／２、１／３、２／１及び４／１が再生される。このように、第１のプログラムチェーンＰＧＣ１の第４のプログラムＰＧ４のポインタ、セル４、は、セル２／１を構成する３つのユニット（ＩＬＶＵｓ）にアクセスし、不要なインターリーブされたセル３／１と３／２は効果的に飛び越す。同様に、第２のプログラムチェーンＰＧＣ２を実行している時、セル１／１、１／２、１／３、３／１、３／２、及び４／１が再生され、図６ｂに示したディレクタカットが再生される。
【００６０】
インターリーブ法は、図８に示したように、上記の代替的コピープロテクション法を提供するために利用できる。よって、図８に示したように、再生されるべきコンテントを有するセルは、単一の逐次的なナビゲーションパスに沿って設けられる。しかし、妨害データを含む追加的セル３／１が設けられる。具体的に、１つ以上のＩＬＶＵｓ１５４に分かれた追加的ビデオオブジェクトＶＯＢ３が設けられる。１つ以上のＩＬＶＵｓ１５４は妨害データを含み、既存のコンテントデータをインターリーブされている。
【００６１】
ディスク上の妨害データの構成は、図８に示されている。図８は、インターリーブした２つのビデオオブジェクトＶＯＢ２とＶＯＢ３により構成されたインターリーブブロック１５６を示す。このインターリーブブロック１５６は、第１と第４のビデオオブジェクト５０の間に挿入されている。言うまでもなく、セル１／２は再生可能情報を含む。このセル１／２は、新しいＶＯＢに割り当てられ、効果的にスライスされ、妨害データのＩＬＶＵｓ１５４とインターリーブされている。図示したように、ポインタはドライブを妨害データの領域を通り越してナビゲートする。また、妨害データ領域内ではバッファゾーンとその他の方法を用いて、ディスクの通常再生には干渉しないようにする。
【００６２】
妨害データはドライブが光ディスクを読み取ったり再生したりするのを止めるいかなるデータでもよく、上記の例のいずれでもよい。
【００６３】
図８から分かるように、妨害データ１５４はナビゲーションパスがないセル３／１に設けられている。図８は、関係するビデオタイトルセットＶＴＳ１の論理構造も示している。図８のナビゲーションパス１３０はセル１／１、２／１、及び４／１を含むことが分かる。セル３／１は妨害データを含み、非ナビゲーションパス１３０′に沿って設けられている。図８の構造は、３つのプログラムＰＧ１、ＰＧ２、及びＰＧ３と３つのポインタセル１、セル２、セル３を有する単一のプログラムチェーンＰＧＣ１を有する。上記のように、第３のビデオオブジェクト中の妨害データ１５４は、第２のビデオオブジェクトとインターリーブされて、再生されないインターリーブユニット１５４を有するインターリーブブロック１５６を形成する。
【００６４】
ポインタセル１、セル２、セル３はどれもＩＬＶＵｓ１５４にはアクセスしないことが分かる。よって、図８の構造を再生すると再生パス１３０に沿ったものとなり、妨害データ１５４はアクセスされない。しかし、前述のように、図８に示した構造を有するディスクをセクターごと、またはファイルごとにコピーしようとすると、読み出し動作は失敗、または非常に遅くなるか、または再生不能のコピーが作られることになる。
【００６５】
上記の通り、光ディスクは、例えば、コンテントファイル中またはその間にデータエリアに妨害データを組み込むことにより、及びナビゲーションパスが妨害データに行かないようにすることにより、コピープロテクトされる。これにより、問題なく光ディスクを再生できるが、特にコピーがセクターまたはファイルごとの場合に、使用可能なコピーの作成は防止できる。上記の例では、妨害データに導きアクセスを可能にするポインタその他のナビゲーションまたはプログラムパスを省略することにより、妨害データへのナビゲーションパスがないようにした。
【００６６】
別の方法は、妨害データにポインタを設けるが、再生中は妨害データを含む領域にはアクセスしないようにナビゲーションパスと関連する制御データを有することである。例えば、図８に示した構造では、セル３／１へのポインタ（図示せず）がプログラムチェーンＰＧＣ１に設けられてもよい。しかし、好適なプリコマンドその他の手配（ａｒｒａｎｇｅｍｅｎｔｓ）をして、セル３／１の再生を防止する。
【００６７】
本発明は、上で説明した光ディスクのコピープロテクションを迂回することを目的とする。
【００６８】
上記のように、ディスクからデータを取り出すように制御可能なドライブは、一般的に、セクターごと、ファイルごと、またはリッパー（ｒｉｐｐｅｒ）のＩＦＯパーシングクラスの場合にはセルごとにリニアにデータを取り出す。この場合、ドライブには上記のように設けられた妨害データにより悪い影響がある。
【００６９】
例えば、図３の考察から分かるように、追加セルまたは領域７２をポイントしているポインタ６０はない。あるいは、ポインタは妨害データの領域に導くが、そのようなポインタを備えたナビゲーションパスはポインタが妨害データへのアクセスを提供しないように改変される。それゆえ、本発明の一迂回方法は、ディスクのコンテントを検索して、全ての可能なナビゲーションパスをマップする。これは、例えば、情報ファイルパーサとインタープリタの使用により実行することができる。すべのナビゲーションパスをマッピングすることにより、ナビゲーションパスによりアクセスされないディスク上のデータエリア中の領域を識別することができる。これらの領域は、ポインタが無い領域と、ポインタはあっても問題のナビゲーションパスの適当なコマンドによりそれへのナビゲーションが防止されている領域とを含む。このような領域は、アクセスされてなく、妨害データを含むものであることが知られている。その後、コピープロシージャ（ｐｒｏｃｅｄｕｒｅ）中は識別された領域は回避し、全ての有用なデータをディスクから取得し、全ての妨害データを回避することができる。一般的に、ディスク上のデータのコピーはメモリに格納される。ナビゲーションパスによりアドレスされないと識別された領域には、複数のゼロ等の任意データをいれることを推奨する。
【００７０】
別のアプローチでは、ディスク上のデータをリニアに読み出すが、低レベル（例えば、ビットストリームレベル）、すなわちデータの符号化、インターリーブ、及びスクランブル前に読み出す。いずれかの領域にアクセスした時、その領域が読み取り不能でありエラーを生じることが分かった場合、その領域には妨害データがあると識別され、任意のデータ（例えば、複数のゼロ）をその領域の妨害データの替わりに挿入する。このように、ディスク上のデータのイメージを取得することができる。
【００７１】
これらの方法のいずれかを適当なソフトウェアで実行でき、当業者であればその設計をすることができる。
【００７２】
言うまでもなく、これらの方法の各々によりコピープロテクトされたディスクから取得した格納情報と制御データを用いてコピーディスクを形成することができる。
【００７３】
図９ａから９ｅは、ＤＶＤのコピープロテクションとコピープロテクションを迂回する本発明の方法の他の実施形態を示す概略図である。よって、図９ａは、元のプロテクトされていないＤＶＤをＶＴＳＴＴ＿ＶＯＢＳのレベルで示し、ポインタＰがセルを指しているビデオオブジェクト５０を示している。
【００７４】
図９ｂは、ＶＴＳＴＴ＿ＶＯＢＳ内の妨害データの領域２５０の挿入を示し、これにより図９ｂのディスクは上記の説明のようにコピープロテクトされる。
【００７５】
通常通り、セクターまたはファイルごとにリニア（ｌｉｎｅａｒ）にデータを取り出して図９ｂのディスクをコピーした場合、取り出したデータは図９ｃのようになっていて、ビデオタイトルセット情報ファイル（ＶＴＳＩ）や第１のビデオオブジェクト５０等の構造体（ｓｔｒｕｃｔｕｒｅ）は取り出されるが、それに続く領域に妨害データがあるので、データを取り出すドライブはその動作に失敗してしまう。
【００７６】
図９ｄに示したように、図９ｂに示したディスクのイメージを本発明の方法で取得することができる。図１０を参照して、以下にこの方法をさらに詳しく説明する。この方法では、領域２５０は、妨害データを含み、データを取り出す時にはアクセスされないので、ＶＴＳＩと有用なビデオオブジェクト５０のみをデータエリアから取り出す。
【００７７】
ディスクから構成したイメージを図９ｅに示したようにコピーディスクに焼き付ける。コピーディスクでは、領域２５０はアクセスされず、任意データが入れられて、領域２６０になっている。例えば、領域２６０内のデータは複数のゼロである。この点、図９ｂに示したディスクのように、図９ｅのディスクでは使用時は領域２６０がアクセスされない。それゆえ、領域２６０に組み込まれるべき任意データについての唯一の要件は、読み取り可能性問題をそれ自体が起こさないことである。
【００７８】
図１０は、例えば図９ｄに示したようなコピープロテクトされたディスクのイメージを取得するために使用し、図９ｅに示したようなコピーディスクを提供するために使用する装置を示す図である。
【００７９】
図１０の装置では、ＤＶＤリーダ８０はＤＶＤを再生できる。このＤＶＤリーダは、既知のやり方でビデオとオーディオを出力し、この出力はＭＰＥＧ復号制御部８２を介してディスプレイ手段８４に入力される。この点に関して、必要に応じてＤＶＤプレーヤの多数の段階を選択でき、その段階はソフトウェア、ハードウェア、またはファームウェアにより提供される。ＤＶＤからの情報であって、ディスプレイ手段８４により表示されるべきものは、８６で示した通信チャンネルによりディスプレイ手段８４に入力される。情報に関連するコマンドであって、制御部８２またはディスク上のデータのいずれかからのものは同様にバス８６に載せられる。
【００８０】
図１０の装置はコピー装置９０を含み、そのコピー装置９０はソフトウェア、ハードウェア、またはファームウェアで実現される。コピー装置９０は通信チャンネル８６を利用してＤＶＤリーダ８０から出力されるコンテント（例えば映画）と、制御部８２との間でやりとりされる関連コマンドの両方にアクセスする。装置９０は、ＤＶＤから取得してバス８６上に出力されたセクターデータと関連コマンドをメモリ９２に格納する。具体的に、コピー装置９０はディスク上のセクターからコンテントを取得してそのセクターの番号を識別することができる。このように、コピー装置９０は、図９ｄに示したディスクのイメージを構成することができる。このイメージはメモリ９２に格納される。上述のように、この格納されたイメージを用いて図９ｅに示したコピーディスクを作ることができる。
【００８１】
ディスクがコピープロテクトされていても、説明したコピー方法を用いてそのディスクをコピーすることができる。その理由は、その方法ではプレーヤがアクセスする情報をみることにより、妨害データにはアクセスしないからである。このように、コピープロテクションがディスクの再生に影響を及ぼさないようにディスクに付加されているため、本コピー方法がうまく機能する。
【００８２】
言うまでもなく、ＤＶＤ上には幾つかのタイトルがあることが多い。例えば、映画に伴ってその映画の見どころ（ｆｅａｔｕｒｅｓ）、その映画に関連する人に関するフィーチャー、アウトテイク（ｏｕｔ−ｔａｋｅｓ）やその他の素材が入っている。それゆえ、言うまでもなく、例えば、図１０の装置がディスク上のタイトルを全て再生するようになっている場合、ディスクの全体コピーのみを作ることができる。もちろん、言うまでもなく、違法コピー作成者はディスク上の全てのオプションをマニュアルで起動することができる。しかし、好ましい実施形態では、コピー装置９０は、ＭＰＥＧ復号制御部８２にコマンドを送り、ＤＶＤ上の情報の全てをユーザの介入なしに読み出すようにプログラムされる。
【００８３】
前述のように、ディスクから取得したコピー、例えば図９ｄに示したイメージを単に保存することができる。この格納されたコピーは、例えば、ＤＶＤから取り出されたタイトルを含み、装置９０をチャンネル８６に接続したまま、物理的ディスクであるように利用することができる。このように、格納されたディスクイメージは制御部８２からのコマンドの受け取りに応じて再生できる。しかし、一般的に、領域１６０にはゼロその他の任意データが入れられており、通常どおりＤＶＤを焼くためにイメージを用いることが予想される。
【００８４】
言うまでもなく、添付した請求項の範囲内で、上で説明し例示した本発明の変形と補正をすることができる。
【図面の簡単な説明】
【００８５】
【図１】ＤＶＤ上のデータ構造を示す図である。
【図２】ＤＶＤ中のビデオタイトルセット（ＶＴＳ）の構造を示す図である。
【図３】図２と同様の図面であるが、ビデオオブジェクト中に非構造化領域を設けることによるコピープロテクションの例を示す図である。
【図４】ビデオオブジェクトへの追加は追加セルであることを除いて、図３と同様の図である。
【図５】図３と同様の図であるが、ＤＶＤビデオゾーンのファイル間にギャップを設けることを示した図である。
【図６】図６ａと６ｂは、ビデオオブジェクトのインターリーブを用いて２つの異なる再生パスを設けることを示す図である。
【図７】図６ａと６ｂに示した方法でインターリーブを使用するビデオタイトルセット（ＶＴＳ）の構造を示す図である。
【図８】ビデオタイトルセットのインターリーブされたコンテント中に妨害データを設けることを示す図である。
【図９】図９ａないし９ｅは、ＶＴＳＴＴ＿ＶＯＢＳと、ＤＶＤのコピープロテクションと、本発明の迂回方法とを示す概略図である。
【図１０】光ディスクのコピープロテクションの迂回に使用する装置を示す図である。
【図１】
2007526591.tif 000003
【図２】
2007526591.tif 000004
【図３】
2007526591.tif 000005
【図４】
2007526591.tif 000006
【図５】
2007526591.tif 000007
【図６】
2007526591.tif 000008
【図７】
2007526591.tif 000009
【図８】
2007526591.tif 000010
【図９】
2007526591.tif 000011
【図１０】
2007526591.tif 000012
【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
１つ以上のコンテントファイルに配置されたコンテントとコンテントへのアクセスを提供する制御データとをデータエリア中に担う、コピープロテクトされた光ディスクをコピーする方法であって、
読み取り不能データまたは妨害データを含む少なくとも１つの領域をデータエリア中に設け、
読み取り不能データまたは妨害データの領域または各領域へのアクセスはディスク上のコンテントの通常再生の際は防止され、
前記方法は、
ディスクの通常再生のためのナビゲーションを利用することによりコピープロテクトされた光ディスクのコンテントにアクセスする段階と、
対応するデータエリアにアクセスしたコンテントを格納する段階と、
読み取り不能データまたは妨害データを含む領域に対応する、対応するデータエリアのいずれかの領域に任意のデータを含める段階と、を有することを特徴とする方法。
【請求項２】
請求項１に記載のコピープロテクトされた光ディスクをコピーする方法であって、
通常再生用にナビゲーションはディスク上のコンテントにアクセスする前記制御データにより画成されるナビゲーションパスを有し、
読み取り不能データまたは妨害データの少なくとも１つの領域へのアクセスを提供するナビゲーションパスはなく、
前記方法は、ナビゲーションパスを利用してコンテントにナビゲーションすることにより、コピープロテクトされた光ディスク上のコンテントにアクセスする段階を有することを特徴とする方法。
【請求項３】
請求項２に記載のコピープロテクトされた光ディスクをコピーする方法であって、
ナビゲーションパスがマップされ、前記ナビゲーションパスによりアクセスされないデータエリアの領域を特定し、
前記コピー方法は、さらに、
データエリアにリニアにアクセスしてコンテントをそこに格納する段階と、
ナビゲーションパスによりアクセスされていないと識別されたいずれの領域へのアクセスも避ける段階と、
データエリアの対応する領域にコンテントの替わりに任意のデータを格納する段階と、を有することを特徴とする方法。
【請求項４】
請求項２に記載のコピープロテクトされた光ディスクをコピーする方法であって、
前記コピー方法は、さらに、
ディスクを再生して、ナビゲーションパスにより決定されたようにディスク上のコンテントにアクセスする段階と、
データエリアから読み出したコンテントを対応するデータエリアに格納する段階と、を有することを特徴とする方法。
【請求項５】
請求項１に記載のコピープロテクトされた光ディスクをコピーする方法であって、
通常再生用にナビゲーションはディスク上のコンテントにアクセスする前記制御データにより画成されるナビゲーションパスを有し、
読み出し不能データまたは妨害データの少なくとも１つの領域に導くが、ディスク上のコンテントの通常の再生の際は読み出し不能データまたは妨害データへのアクセスを提供しないナビゲーションパスがあり、
前記方法は、ナビゲーションパスを利用してコンテントにナビゲーションすることにより、コピープロテクトされたディスク上のコンテントにアクセスする段階を有することを特徴とする方法。
【請求項６】
請求項５に記載のコピープロテクトされた光ディスクをコピーする方法であって、
制御データにより画成されたナビゲーションパスがマップされ、ナビゲーションパスによりアクセスされないデータエリアの領域を特定し、
前記コピー方法は、さらに、
データエリアにリニアにアクセスしてコンテントをそこに格納する段階と、
ナビゲーションパスによりアクセスされていないと識別されたいずれの領域へのアクセスも避ける段階と、
データエリアの対応する領域にコンテントの替わりに任意のデータを格納する段階と、を有することを特徴とする方法。
【請求項７】
請求項５に記載のコピープロテクトされた光ディスクをコピーする方法であって、
前記コピー方法は、さらに、
ディスクを再生して、ナビゲーションパスにより決定されたようにディスク上のコンテントにアクセスする段階と、
データエリアから読み出したコンテントを対応するデータエリアに格納してディスク上のコンテントと制御データのイメージ（ｉｍａｇｅ）を構成する段階と、を有することを特徴とする方法。
【請求項８】
請求項１ないし７に記載のコピープロテクトされた光ディスクをコピーする方法であって、
光ディスクプレーヤによりディスクを再生してディスクのコンテントを取得し、
ディスクプレーヤが出力したコンテントを格納することを特徴とする方法。
【請求項９】
請求項８に記載のコピープロテクトされた光ディスクをコピーする方法であって、
コンテントデータのコピーが完了するように、ディスクのコンテントの全てを再生するように光ディスクプレーヤにコマンドを送る段階をさらに有することを特徴とする方法。
【請求項１０】
請求項１ないし９に記載のコピープロテクトされた光ディスクをコピーする方法であって、
格納されたコンテントからディスクを作る段階をさらに有することを特徴とする方法。
【請求項１１】
請求項１ないし１０に記載のコピープロテクトされた光ディスクをコピーする方法であって、
追加コンテントファイルとして、または２つの隣接するコンテントファイル間のギャップとして、コンテントファイル内に読み取り不能データまたは妨害データの少なくとも１つの領域を形成し、
前記方法は、
コンテントファイルにアクセスしてそのコンテントを読み出す段階と、
対応するコンテントファイルにコンテントを格納する段階と、を有することを特徴とする方法。
【請求項１２】
請求項１１に記載のコピープロテクトされた光ディスクをコピーする方法であって、
コンテントファイルはビデオオブジェクトファイルであり、セルに分割されたビデオオブジェクトにより構成され、
制御データにより画成されたナビゲーションパス中のそれぞれのポインタによりセルにアクセス可能であることを特徴とする方法。
【請求項１３】
請求項１２に記載のコピープロテクトされた光ディスクをコピーする方法であって、
読み取り不能データまたは妨害データの少なくとも１つの領域がビデオオブジェクト内の追加セルとして形成され、
追加セルにアクセスするポインタはないことを特徴とする方法。
【請求項１４】
請求項１２に記載のコピープロテクトされた光ディスクをコピーする方法であって、
読み取り不能データまたは妨害データの少なくとも１つの領域がビデオオブジェクト内の追加セルとして形成され、
追加セルにアクセスするポインタはあるが、プリコマンドまたはセルコマンドを使用すると必ず、素材の通常再生の際に追加セルが再生されないことを特徴とする方法。
【請求項１５】
請求項１２に記載のコピープロテクトされた光ディスクをコピーする方法であって、
読み取り不能データまたは妨害データの少なくとも１つの領域がビデオオブジェクト内に挿入され、
前記領域にアクセスするポインタはないことを特徴とする方法。
【請求項１６】
請求項１ないし１５に記載のコピープロテクトされた光ディスクをコピーする方法であって、
データエリアの前記領域に含まれる任意のデータは０のセクターを含むことを特徴とする方法。
【請求項１７】
１つ以上のコンテントファイルに配置されたコンテントとコンテントへのアクセスを提供する制御データとをデータエリア中に担う、コピープロテクトされた光ディスクをコピーする装置であって、
読み取り不能データまたは妨害データを含む少なくとも１つの領域をデータエリア中に設け、
読み取り不能データまたは妨害データの領域または各領域へのアクセスはディスクの通常再生の際は防止され、
前記装置は、
ディスクの通常再生のためのナビゲーションを利用することによりディスク上のコンテントにアクセスする手段と、
対応するデータエリアにアクセスしたコンテントを格納する手段と、
読み取り不能データまたは妨害データを含む領域に対応する、対応するデータエリアのいずれかの領域に任意のデータを組み込む手段と、を有することを特徴とする装置。
【請求項１８】
請求項１７に記載のコピープロテクトされた光ディスクをコピーする装置であって、
通常再生のナビゲーションはディスクのコンテントにアクセスする制御データにより画成されるナビゲーションパスを有し、
しかし、読み取り不能データまたは妨害データの少なくとも１つの領域へのアクセスを提供するナビゲーションパスはなく、
ディスク上のコンテントにアクセスする手段は、ナビゲーションパスをマップして前記ナビゲーションパスがアクセスしないデータエリアの領域を識別する手段と、前記領域として識別されていないデータエリアの領域にリニアにアクセスする手段と、を有し、
前記格納手段はアクセスしたデータエリアのコンテントを対応するデータエリアに格納するように構成されていることを特徴とする装置。
【請求項１９】
請求項１７に記載のコピープロテクトされた光ディスクをコピーする装置であって、
通常再生のナビゲーションはディスクのコンテントにアクセスする制御データにより画成されるナビゲーションパスを有し、
読み出し不能データまたは妨害データの少なくとも１つの領域に導くが、ナビゲーションパスは、ディスク上のコンテントの通常の再生の際は読み出し不能データまたは妨害データへのアクセスを提供しないように改変され、
ディスク上のコンテントにアクセスする手段は、ナビゲーションパスをマップして前記ナビゲーションパスがアクセスしないデータエリアの領域を識別する手段と、前記領域として識別されていないデータエリアの領域にリニアにアクセスする手段と、を有し、
前記格納手段はアクセスしたデータエリアのコンテントを対応するデータエリアに格納するように構成されていることを特徴とする装置。
【請求項２０】
請求項１７に記載のコピープロテクトされた光ディスクをコピーする装置であって、
ディスク上のコンテントにアクセスする前記手段は光ディスクプレーヤから出力を受け取る手段を有し、
前記格納する手段は、出力からのコンテントを読み出し、読み出したコンテントを対応するデータエリアに格納してディスク上のコンテントと制御データのイメージを格納することを特徴とする装置。
【請求項２１】
請求項２０に記載のコピープロテクトされた光ディスクをコピーする装置であって、
ディスクの格納されたイメージが完了するように、ディスク上のコンテントの全てを再生するように光ディスクプレーヤにコマンドを送る手段をさらに有することを特徴とする装置。
【請求項２２】
請求項１７ないし２１いずれか一項に記載のコピープロテクトされた光ディスクをコピーする装置であって、光ディスクにアクセスされるコンテントと任意のデータを焼き付ける手段をさらに有することを特徴とする装置。
【国際調査報告】
2007526591.tif 000013
2007526591.tif 000014
2007526591.tif 000015